(57)【要約】【課題】専門的な知識が不要で一般のユーザにも容易に、信号出力側の機器が出力するコンテンツの映像・音声の出力フォーマットを信号入力側の機器が対応可能な範囲で最良に設定できるようにする。【解決手段】信号出力側の機器１ｂによりＨＤＭＩケーブル３ｂを介した接続初期に映像・音声の出力フォーマットを信号入力側の機器２ｂが対応可能な所定の信号フォーマットに初期設定し、新たなコンテンツの映像・音声の出力毎に、設定中の出力フォーマットが新たなコンテンツの映像・音声の本来の信号フォーマットに最適か否かを判断し、最適でないときに、信号入力側の機器２ｂが対応可能であって前記新たなコンテンツの映像・音声の本来の信号フォーマットにより適合した最適な信号フォーマットを検索して設定変更案内を報知し、該報知に基づく設定変更操作を受け付けて出力フォーマットを指定された信号フォーマットに変更する。【選択図】図１
2008054172.tif 000002
【特許請求の範囲】
【請求項１】
信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの信号出力設定方法において、前記信号出力側の機器により、前記信号入力側の機器との接続初期に、前記ケーブルを介した前記信号入力側の機器の情報から前記信号入力側の機器が対応可能な解像度や音声形式等の信号フォーマットを認証し、該認証に基づき、前記信号入力側の機器に出力する映像・音声のデジタル信号の前記出力フォーマットを前記信号入力側の機器が対応可能な所定の信号フォーマットに初期設定し、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断し、設定中の前記出力フォーマットが前記新たなコンテンツの映像・音声のデジタル信号の本来の解像度や音声形式等の信号フォーマットに最適でないときに、前記認証の結果に基づき、前記信号入力側の機器が対応可能であって前記新たなコンテンツの映像・音声の本来の信号フォーマットにより適合した最適な信号フォーマットを検索し、前記出力フォーマットを検索した信号フォーマットに変更することを促す設定変更案内を前記両機器の少なくともいずれか一方から報知出力し、前記設定変更案内の報知に基づく設定変更操作を受け付けて前記新たなコンテンツの前記出力フォーマットを前記設定変更操作で指定された信号フォーマットに変更することを特徴とする映像・音声ステムの信号出力設定方法。
【請求項２】
信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの信号出力設定方法において、前記信号出力側の機器により、前記信号入力側の機器との接続初期に、前記ケーブルを介した前記信号入力側の機器の情報から前記信号入力側の機器が対応可能な解像度や音声形式等の信号フォーマットを認証し、該認証に基づき、前記信号入力側の機器に出力する映像・音声のデジタル信号の前記出力フォーマットを前記信号入力側の機器が対応可能な所定の信号フォーマットに初期設定し、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断し、設定中の信号特性が前記新たなコンテンツの映像・音声のデジタル信号の本来の解像度や音声形式等の信号フォーマットに最適でないときに、前記認証の結果に基づき、前記信号入力側の機器が対応可能であって前記新たなコンテンツの映像・音声の本来の信号フォーマットにより適合した最適な信号フォーマットを検索し、前記出力フォーマットを検索した信号フォーマットに変更することを特徴とする映像・音声ステムの信号出力設定方法。
【請求項３】
前記デジタルインターフェースのケーブルはＨＤＭＩケーブルであることを特徴とする請求項１又は２に記載の映像・音声ステムの信号出力設定方法。
【請求項４】
信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの前記信号出力側の機器を形成する映像音声出力装置において、前記信号入力側の機器との接続初期に、前記ケーブルを介した前記信号入力側の機器の情報から前記信号入力側の機器が対応可能な解像度や音声形式等の信号フォーマットを認証する認証手段と、該認証手段の認証に基づき、前記信号入力側の機器に出力する映像・音声のデジタル信号の前記出力フォーマットを前記信号入力側の機器が対応可能な所定の信号フォーマットに初期設定する初期設定手段と、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断する設定判定手段と、該設定判定手段により設定中の前記出力フォーマットが前記新たなコンテンツの映像・音声のデジタル信号の本来の解像度や音声形式等の信号フォーマットに最適でないと判断されたときに、前記認証の結果に基づき、前記信号入力側の機器が対応可能であって前記新たなコンテンツの映像・音声の本来の信号フォーマットにより適合した最適な信号フォーマットを検索する検索手段と、前記出力フォーマットを検索した信号フォーマットに変更することを促す設定変更案内を前記両機器の少なくともいずれか一方から報知出力させる報知制御手段と、前記設定変更案内の報知に基づく設定変更操作を受け付けて前記新たなコンテンツの前記出力フォーマットを前記設定変更操作で指定された信号フォーマットに変更する設定変更手段とを備えたことを特徴とする映像音声出力装置。
【請求項５】
信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの前記信号出力側の機器を形成する映像音声出力装置において、前記信号入力側の機器との接続初期に、前記ケーブルを介した前記信号入力側の機器の情報から前記信号入力側の機器が対応可能な解像度や音声形式等の信号フォーマットを認証する認証手段と、該認証手段の認証に基づき、前記信号入力側の機器に出力する映像・音声のデジタル信号の前記出力フォーマットを前記信号入力側の機器が対応可能な所定の信号フォーマットに初期設定する初期設定手段と、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断する設定判定手段と、該設定判定手段により設定中の前記出力フォーマットが前記新たなコンテンツの映像・音声のデジタル信号の本来の解像度や音声形式等の信号フォーマットに最適でないと判断されたときに、前記認証の結果に基づき、前記信号入力側の機器が対応可能であって前記新たなコンテンツの映像・音声の本来の信号フォーマットにより適合した最適な信号フォーマットを検索する検索手段と、前記新たなコンテンツの前記出力フォーマットを前記検索手段が検索した最適な信号フォーマットに変更する設定自動変更手段とを備えたことを特徴とする映像音声出力装置。
【請求項６】
前記デジタルインターフェースのケーブルはＨＤＭＩケーブルであることを特徴とする請求項４又は５に記載の映像音声出力装置。
【発明の詳細な説明】
【技術分野】
【０００１】
本発明は、信号出力側の機器と信号入力側の機器とをデジタルインターフェースのケーブルで接続し、信号出力側の機器から前記ケーブルを介して信号入力側の機器に、受信や媒体再生に基づくコンテンツの映像・音声のデジタル信号を出力し、信号入力側の機器によって入力されたデジタル信号の映像・音声の再生出力（画面表示、音声出力）や記録を行なう映像・音声システムの信号出力設定方法及びそのシステムの信号出力側の機器を形成する映像音声出力装置に関する。
【背景技術】
【０００２】
従来、上述の映像・音声システムは、ＤＶＤプレーヤ、ＤＶＤレコーダ、ＣＤプレーヤ、ＣＤレコーダ、デジタルビデオカメラ等の映像・音声の各種のソース（Ｓｏｕｒｃｅ）機器やアンプのようなリピータ（Ｒｅｐｅａｔｅｒ）機器からなる映像音声出力装置により信号出力側の機器が形成され、モニタディスプレイを含むテレビ受信機により信号入力側の機器（いわゆるシンク（Ｓｉｎｋ）機器）が形成される。
【０００３】
更に、信号出力側の機器と信号入力側の機器とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルに代表されるデジタルインターフェースのケーブルで接続される。このデジタルインターフェースのケーブルは、映像、音声及び制御のデジタル信号を１本のケーブルで伝送できる利点がある。
【０００４】
そして、放送受信や媒体再生によって信号出力側の機器から出力された種々のコンテンツの映像・音声のデジタル信号は、例えば前記ＨＤＭＩケーブルを介して信号入力側の機器に出力され、信号入力側の機器は入力されたデジタル信号の各コンテンツの再生出力（画面表示、音声出力）を行なう。
【０００５】
ところで、ＨＤＭＩケーブル等のデジタルインターフェースのケーブルで接続される信号入力側の機器は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）のような認識データ（ＩＤ）を保持する。
【０００６】
この認識データは、対応可能な解像度フォーマットやカラーフォーマットのような映像の信号フォーマット及び、対応可能なサラウンド形式等の音声の信号フォーマットの情報が書き込まれる。
【０００７】
具体的には、ＥＤＩＤの記述テーブルであれば、「対応する解像度：４８０ｐ／７２０ｐ／１０８０ｉ、対応する音声形式：リニアＰＣＭ、ＡＣ−３、対応するカラーフォーマット：ＲＧＢ」のように対応可能な信号フォーマットの情報が書き込まれる。
【０００８】
そして、信号出力側の機器が出力する映像・音声のデジタル信号の出力フォーマット（信号フォーマット）が、信号入力側の機器で対応可能な信号フォーマットでなければ、信号入力側の機器は入力された映像・音声のデジタル信号を正常に再生出力（画面表示、音声出力）することができない。
【０００９】
例えば解像度について説明すると、図７に示すように、信号出力側の機器１ａの映像の出力フォーマットが解像度「４８０ｐ」、「７２０ｐ」、「１０８０ｉ」のいずれにも設定可能であって、信号入力側の機器２ａが解像度「４８０ｐ」、「７２０ｐ」、「１０８０ｉ」のいずれの映像入力にも対応可能な場合、信号出力側の機器１ａと信号入力側の機器２ａとをＨＤＭＩケーブル３ａで接続し、信号出力側の機器１ａの映像の出力フォーマットを解像度「４８０ｐ」、「７２０ｐ」、「１０８０ｉ」のいずれに設定しても問題はなく、信号出力側の機器１ａから出力されたコンテンツの映像・音声のデジタル信号に基づき、その出力フォーマットの解像度で信号入力側の機器２ａに映像が画面再生等される。
【００１０】
尚、図７の信号出力側の機器１ａの解像度「４８０ｐ」の枠線は、解像度「４８０ｐ」が選択されて設定されていることを示し、機器１ａ、２ａ間の白抜き矢印は信号出力側の機器１ａから出力された解像度「４８０ｐ」の信号を示し、解像度「４８０ｐ」の先頭の○印は信号入力側の機器２ａが対応可能であることを示す。
【００１１】
しかしながら、図８に示すように、信号出力側の機器１ａの映像の出力フォーマットは解像度「４８０ｐ」、「７２０ｐ」、「１０８０ｉ」のいずれにも設定可能であるが、信号入力側の機器２ａが解像度「４８０ｐ」、「７２０ｐ」の映像入力にのみ対応可能な場合、信号出力側の機器１ａと信号入力側の機器２ａとをＨＤＭＩケーブル３ａで接続し、信号出力側の機器１ａの映像の出力フォーマットを解像度「１０８０ｉ」に設定すると、信号出力側の機器１ａから出力された解像度「１０８０ｉ」の映像のデジタル信号は信号入力側の機器２ａでは対応していないので画面表示等が行なえない。
【００１２】
尚、図８の信号出力側の機器１ａの解像度「１０８０ｉ」の枠線は、解像度「１０８０ｉ」が選択されて設定されていることを示し、機器１ａ、２ａ間の白抜き矢印は信号出力側の機器１ａから出力された解像度「１０８０ｉ」の信号を示し、解像度「１０８０ｉ」の先頭の×印は信号入力側の機器２ａが対応不可能であることを示す。
【００１３】
又、音声形式について説明すると、図９に示すように、信号出力側の機器１ａの音声の出力フォーマットが「Ｄｏｌｂｙ  Ｄｉｇｉｔａｌ」、「ＭＰＥＧ」、「ＤＴＳ」、「リニアＰＣＭ」のいずれにも設定可能であって（Ｄｏｌｂｙ、ＤＴＳは登録商標）、信号入力側の機器２ａが「Ｄｏｌｂｙ  Ｄｉｇｉｔａｌ」、「リニアＰＣＭ」の音声入力にのみ対応可能な場合、信号出力側の機器１ａと信号入力側の機器２ａとをＨＤＭＩケーブル３ａで接続し、信号出力側の機器１ａの音声の出力フォーマットを「ＤＴＳ」に設定すると、信号出力側の機器１ａから出力されたコンテンツの「ＤＴＳ」のビットストリームの音声のデジタル信号は信号入力側の機器２ａでは対応できないので再生出力等することがでず、場合によってはノイズ音が出力される。
【００１４】
尚、図９の信号出力側の機器１ａの「ＤＴＳ」の枠線は、「ＤＴＳ」が大項目選択されていることを示し、更に、その吹き出しの「ＤＴＳ出力」の枠線は、詳細選択によってＤＶＤサラウンドとして「ＤＴＳ」が選択されて設定されていることを示す。又、機器１ａ、２ａ間の白抜き矢印は信号出力側の機器１ａから出力された音声形式「ＤＴＳ」の信号を示し、音声形式「ＤＴＳ」の先頭の×印は信号入力側の機器２ａが対応不可能であることを示す。
【００１５】
そして、主に信号入力側の機器２ａでの映像・音声の上述の設定は、信号出力側の機器１ａの詳細な設定一覧が画面表示等されたとしても、一般のユーザには容易ではなく、設定ミスが生じて映像の画面表示が行なえなくなったり、音声が出力されなくなったりする。
【００１６】
そこで、前記ＥＤＩＤの記述テーブルの内容等から信号入力側の機器２ａとしてのディスプレイ装置（映像表示機器）の対応可能な各映像フォーマット（具体的には解像度）を認識して画面表示し、表示されたいずれかの解像度をユーザが選択することで、信号出力側の機器１ａが出力するコンテンツの解像度を前記ディスプレイ装置が対応可能な解像度に合わせて設定することが提案されている（例えば、特許文献１参照。）。
【００１７】
この場合、ユーザは画面表示された１又は複数個の解像度のいずれかを適当に選択すればよく、信号出力側の機器１ａの映像の出力フォーマットの設定が容易に行なえる。
【００１８】
尚、信号出力側の機器１ａとしての外部機器をＨＤＭＩケーブルを介して信号入力側の機器２ａであるＨＤＭＩレシーバ（映像信号受信装置）に接続し、前記ＥＤＩＤの記述テーブルの内容等に基づき、前記外部機器から出力されて前記ＨＤＭＩレシーバに入力されたコンテンツのカラーフォーマットが予め想定されたＲＧＢフォーマットかＹＣｂＣｒ（又はＹＰｂＰｒ）フォーマットかを自動的に判断し、この判断に基づいて前記ＨＤＭＩレシーバのカラーフォーマットをＲＧＢフォーマット又はＹＣｂＣｒ（又はＹＰｂＰｒ）フォーマットに二者択一的に変更して自動設定することも提案されている（例えば、特許文献２参照。）。
【００１９】
この場合、信号出力側の機器１ａとしての外部機器が出力するコンテンツのカラーフォーマットがＲＧＢフォーマット、ＹＣｂＣｒ（又はＹＰｂＰｒ）フォーマットのいずれであっても、信号入力側の機器２ａであるＨＤＭＩレシーバのカラーフォーマットが自動的にそのコンテンツのカラーフォーマットに一致するように変更され、そのコンテンツが正常にカラー処理されて画面表示等される。
【特許文献１】特開２００５−１６７８９５号公報（要約書、段落［００２４］−［００３７］、［００４３］、図１等）
【特許文献２】特開２００５−３３３４７２号公報（要約書、段落［００］−［００３７］、［００４３］、図１等）
【発明の開示】
【発明が解決しようとする課題】
【００２０】
前記特許文献１に記載のように信号出力側の機器１ａの映像・音声の解像度等の出力フォーマットを信号入力側の機器２ａが対応可能な信号フォーマットに合うようにユーザが選択して設定する場合、その設定が信号出力側の機器１ａが出力するコンテンツの映像・音声の本来の信号フォーマットに最良の設定になっているとは限らず、しかも、その設定の確認等をするには、コンテンツの映像・音声の本来の信号フォーマットをユーザが認識すると共に、機器２ａの前記ＥＤＩＤの記述テーブルの内容等を表示して信号出力側の機器１ａの設定された出力フォーマット及び信号入力側の機器が対応可能な映像・音声の信号フォーマットをユーザが把握する必要があり、専門的な知識が必要であって一般のユーザには容易でなく、又、面倒である。
【００２１】
そのため、出力されたコンテンツの映像・音声につき、本来はより高品質な映像や音声で視聴等することができるにもかかわらず、前記最良の設定でないないために、本来の高品質で視聴等することができない虞がある。
【００２２】
具体的には、図１０に示すように、信号出力側の機器１ａがＨＤ（Ｈｉｇｈ  Ｄｅｆｉｎｉｔｉｏｎ）−ＤＶＤプレーヤ、ブルーレイ（Ｂｌｕ−ｒａｙ）プレーヤ等であって解像度４８０ｐ、７２０ｐ、１０８０ｉ、１０８０ｐのいずれにも設定可能であり、信号入力側の機器２ａがいわゆるフルハイビジョンの高解像度のテレビ受信機等であって、解像度４８０ｐ、７２０ｐ、１０８０ｉ、１０８０ｐに対応可能な場合に、信号出力側の機器１ａを初期設定の解像度４８０ｐのままにしていたり、ユーザがどの解像度に設定してよいのか分からず、適当に解像度４８０ｐを選択していると、例えば信号出力側の機器１ａの媒体（ディスク）から再生された解像度１０８０ｐの高解像度のコンテンツは、解像度変換等によって解像度４８０ｐに落として信号入力側の機器２ａに出力され、信号入力側の機器２ａにおいて、解像度４８０ｐの低画質で画面表示等される。尚、図中の信号出力側の機器１ａの解像度「４８０ｐ」の枠線は、解像度「４８０ｐ」が選択されて設定されていることを示し、機器１ａ、２ａ間の白抜き矢印は信号出力側の機器１ａから出力された解像度「４８０ｐ」の信号を示し、解像度「４８０ｐ」の先頭の○印は信号入力側の機器２ａが対応可能であることを示す。
【００２３】
又、前記特許文献２に記載のように、信号出力側の機器１ａが出力するコンテンツの映像・音声の信号フォーマットに応じて信号入力側の機器２ａの映像・音声の出力フォーマットを変更するのでは、信号出力側の機器１ａが出力するコンテンツの映像・音声の信号フォーマットが、信号入力側の機器２ａが対応していない信号フォーマットの場合、例えば図８で説明したように信号出力側の機器１ａが出力するコンテンツの解像度が１０８０ｉであって信号入力側の機器２ａが解像度４８０ｐ、７２０ｐにしか対応していない場合には適用することができない。
【００２４】
本発明は、この種の映像・音声システムにおいて、専門的な知識が不要で一般のユーザにも容易に、信号出力側の機器が出力するコンテンツの映像・音声の出力フォーマットを信号入力側の機器が対応可能な範囲で最良に設定できるようにすることを目的とする。
【課題を解決するための手段】
【００２５】
上記の目的を達成するために、本発明の映像・音声ステムの信号出力設定方法は、信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの信号出力設定方法において、前記信号出力側の機器により、前記信号入力側の機器との接続初期に、前記ケーブルを介した前記信号入力側の機器の情報から前記信号入力側の機器が対応可能な解像度や音声形式等の信号フォーマットを認証し、該認証に基づき、前記信号入力側の機器に出力する映像・音声のデジタル信号の前記出力フォーマットを前記信号入力側の機器が対応可能な所定の信号フォーマットに初期設定し、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断し、設定中の前記出力フォーマットが前記新たなコンテンツの映像・音声のデジタル信号の本来の解像度や音声形式等の信号フォーマットに最適でないときに、前記認証の結果に基づき、前記信号入力側の機器が対応可能であって前記新たなコンテンツの映像・音声の本来の信号フォーマットにより適合した最適な信号フォーマットを検索し、前記出力フォーマットを検索した信号フォーマットに変更することを促す設定変更案内を前記両機器の少なくともいずれか一方から報知出力し、前記設定変更案内の報知に基づく設定変更操作を受け付けて前記新たなコンテンツの前記出力フォーマットを前記設定変更操作で指定された信号フォーマットに変更することを特徴としている（請求項１）。
【００２６】
又、本発明の映像・音声ステムの信号出力設定方法は、信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの信号出力設定方法において、前記信号出力側の機器により、前記信号入力側の機器との接続初期に、前記ケーブルを介した前記信号入力側の機器の情報から前記信号入力側の機器が対応可能な解像度や音声形式等の信号フォーマットを認証し、該認証に基づき、前記信号入力側の機器に出力する映像・音声のデジタル信号の前記出力フォーマットを前記信号入力側の機器が対応可能な所定の信号フォーマットに初期設定し、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断し、設定中の信号特性が前記新たなコンテンツの映像・音声のデジタル信号の本来の解像度や音声形式等の信号フォーマットに最適でないときに、前記認証の結果に基づき、前記信号入力側の機器が対応可能であって前記新たなコンテンツの映像・音声の本来の信号フォーマットにより適した最適な信号フォーマットを検索し、前記出力フォーマットを検索した信号フォーマットに変更することを特徴としている（請求項２）。
【００２７】
そして、上記請求項１又は２の映像・音声ステムの信号出力設定方法において、前記デジタルインターフェースのケーブルはＨＤＭＩケーブルであることが実用的で好ましい（請求項３）。
【００２８】
次に、本発明の映像音声出力装置は、信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの前記信号出力側の機器を形成する映像音声出力装置において、前記信号入力側の機器との接続初期に、前記ケーブルを介した前記信号入力側の機器の情報から前記信号入力側の機器が対応可能な解像度や音声形式等の信号フォーマットを認証する認証手段と、該認証手段の認証に基づき、前記信号入力側の機器に出力する映像・音声のデジタル信号の前記出力フォーマットを前記信号入力側の機器が対応可能な所定の信号フォーマットに初期設定する初期設定手段と、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断する設定判定手段と、該設定判定手段により設定中の前記出力フォーマットが前記新たなコンテンツの映像・音声のデジタル信号の本来の解像度や音声形式等の信号フォーマットに最適でないと判断されたときに、前記認証の結果に基づき、前記信号入力側の機器が対応可能であって前記新たなコンテンツの映像・音声の本来の信号フォーマットにより適合した最適な信号フォーマットを検索する検索手段と、前記出力フォーマットを検索した信号フォーマットに変更することを促す設定変更案内を前記両機器の少なくともいずれか一方から報知出力させる報知制御手段と、前記設定変更案内の報知に基づく設定変更操作を受け付けて前記新たなコンテンツの前記出力フォーマットを前記設定変更操作で指定された信号フォーマットに変更する設定変更手段とを備えたことを特徴としている（請求項４）。
【００２９】
又、本発明の映像音声出力装置は、信号出力側の機器と信号入力側の機器とをデジタルインターフェースのケーブルで接続し、前記信号出力側の機器のコンテンツの映像・音声のデジタル信号を、設定された解像度や音声形式等の出力フォーマットで前記ケーブルを介して前記信号入力側の機器に出力して処理する映像・音声ステムの前記信号出力側の機器を形成する映像音声出力装置において、前記信号入力側の機器との接続初期に、前記ケーブルを介した前記信号入力側の機器の情報から前記信号入力側の機器が対応可能な解像度や音声形式等の信号フォーマットを認証する認証手段と、該認証手段の認証に基づき、前記信号入力側の機器に出力する映像・音声のデジタル信号の前記出力フォーマットを前記信号入力側の機器が対応可能な所定の信号フォーマットに初期設定する初期設定手段と、前記初期設定後、新たなコンテンツの映像・音声のデジタル信号の出力毎に、設定中の前記出力フォーマットが前記新たなコンテンツの映像・音声のデジタル信号の本来の解像度や音声形式等の信号フォーマットに最適か否かを判断する設定判定手段と、該設定判定手段により設定中の前記出力フォーマットが前記新たなコンテンツの映像・音声のデジタル信号の本来の解像度や音声形式等の信号フォーマットに最適でないと判断されたときに、前記認証の結果に基づき、前記信号入力側の機器が対応可能であって前記新たなコンテンツの映像・音声の本来の信号フォーマットにより適合した最適な信号フォーマットを検索する検索手段と、前記新たなコンテンツの前記出力フォーマットを前記検索手段が検索した信号フォーマットに変更する設定自動変更手段とを備えたことを特徴としている（請求項５）。
【００３０】
そして、上記請求項４又は５の映像音声出力装置において、前記デジタルインターフェースのケーブルはＨＤＭＩケーブルであることが実用的で好ましい（請求項６）。
【発明の効果】
【００３１】
請求項１、４の発明によれば、信号出力側の機器（映像音声出力装置）と信号入力側の機器とをデジタルインターフェースのケーブルで接続すると、信号入力側の機器が対応可能な解像度や音声形式等の信号フォーマットの認証に基づき、信号出力側の機器（映像音声出力装置）の映像・音声のデジタル信号の出力フォーマットが信号入力側の機器が対応可能な所定の信号フォーマットに自動的に初期設定され、その後、新たなコンテンツの映像・音声のデジタル信号の出力毎に、信号入力側の機器が対応可能であって新たなコンテンツの映像・音声の本来の信号フォーマットにより適合した最適な信号フォーマットが検索され、検索された信号フォーマットに変更することを促す設定変更案内が信号出力側の機器（映像音声出力装置）、信号入力側の機器の少なくともいずれか一方から報知出力されてユーザに通知される。
【００３２】
該通知に基づき、ユーザが検索された信号フォーマットへの設定変更操作を行なうと、その操作が受け付けられて信号出力側の機器（映像音声出力装置）の出力フォーマットが、新たなコンテンツの映像・音声の本来の信号フォーマットにより適合した最適な信号フォーマットに変更される。
【００３３】
そのため、専門的な知識が不要であり、一般のユーザでも容易に、信号出力側の機器（映像音声出力装置）が出力するコンテンツの映像・音声の出力フォーマットを信号入力側の機器が対応可能な範囲で最良に設定することができる。その際、前記出力フォーマットを変更するか否かをユーザが選択できるため、再生出力等するコンテンツの画質や音質をユーザが選定できる利点もある。
【００３４】
又、請求項２、５の発明によれば、信号出力側の機器（映像音声出力装置）と信号入力側の機器とをデジタルインターフェースのケーブルで接続すると、信号入力側の機器が対応可能な解像度や音声形式等の信号フォーマットの認証に基づき、信号出力側の機器（映像音声出力装置）の映像・音声のデジタル信号の出力フォーマットが信号入力側の機器が対応可能な所定の信号フォーマットに自動的に初期設定され、その後、新たなコンテンツの映像・音声のデジタル信号の出力毎に、信号入力側の機器が対応可能であって新たなコンテンツの映像・音声の本来の信号フォーマットにより適合した最適な信号フォーマットが検索され、信号出力側の機器（映像音声出力装置）の出力フォーマットが、検索された最適な信号フォーマットに自動的に変更される。
【００３５】
そのため、ユーザは何もする必要がなく、誰でもが極めて容易に、信号出力側の機器（映像音声出力装置）が出力するコンテンツの映像・音声の出力フォーマットを信号入力側の機器が対応可能な範囲で最良に設定することができる。
【００３６】
更に、請求項３、６の発明によれば、デジタルインターフェースのケーブルがＨＤＭＩケーブルであるため、極めて実用的な構成で上記請求項１、２、４、５の効果を奏することができる。
【発明を実施するための最良の形態】
【００３７】
次に、本発明をより詳細に説明するため、その実施形態について、図１〜図６にしたがって詳述する。
【００３８】
（第１の実施形態）
まず、請求項１、４及び３、６に対応する第１の実施形態について、図１〜図４を参照して説明する。
【００３９】
図１は映像・音声システムのブロック図であり、該映像・音声システムは信号出力側の機器１ｂと信号入力側の機器２ｂとをデジタルインターフェースのケーブルであるＨＤＭＩケーブル３ｂにより接続して形成されている。図２は設定変更案内の画面例の説明図である。図３、図４は信号出力側の機器１ｂの本実施形態の動作説明用の第１、第２のフローチャートである。
【００４０】
そして、図１の信号出力側の機器１ｂは例えばテレビ受信機能付きのＤＶＤプレーヤが形成する映像音声装置４からなり、同図の信号入力側の機器２ｂは例えばプラズマディスプレイ又は液晶ディスプレイのテレビ受信機からなり、設置時等にＨＤＭＩケーブル３ｂの両端部が両機器１ｂ、２ｂのＨＤＭＩ端子部に着脱自在に接続され、機器１ｂ、２ｂがＨＤＭＩケーブル３ｂを介して接続される。
【００４１】
この状態で信号出力側の機器１ｂの電源をオンすると、信号出力側の機器１ｂと信号入力側の機器２ｂとがＨＤＭＩケーブル３ｂを介した周知の相互認証を行ない、該認証の完了によってＥＤＩＤの記述テーブルの内容等をＨＤＭＩケーブル３ｂを通して送受信する。
【００４２】
そして、信号出力側の機器１ｂはメイン制御部５の制御に基づき、受信したＥＤＩＤの記述テーブルの内容等を、信号変換部６、ＨＤＭＩ制御部７を介してメモリ８に取り込む。
【００４３】
前記メモリ８に取り込まれるＥＤＩＤの内容は、信号入力側の機器２ｂが対応可能な映像・音声の各種の出力フォーマットの一覧であり、具体的には、解像度：４８０ｐ／７２０ｐ／１０８０ｉ、音声形式：リニアＰＣＭ、ＡＣ−３、カラーフォーマット：ＲＧＢのような情報である。そして、メモリ８の前記一覧の情報に基づき、メイン制御部５が解像度、カラーフォーマット等の映像の出力フォ―マットや音声のサラウンド特性等の出力フォーマットを認識する。
【００４４】
ところで、メイン制御部５、信号変換部６、ＨＤＭＩ制御部７及び後述の設定判別部９等は、マイクロコンピュータのソフトウエアによって形成され、それぞれ設定された処理のプログラムを実行する。
【００４５】
そして、信号変換部６は本発明の認証手段を形成し、メイン制御部５の制御に基づき、信号入力側の機器２ｂとの接続初期にケーブル３ｂを介した信号入力側の機器２ｂの情報（前記ＥＤＩＤの内容）から、信号入力側の機器２ｂが対応可能な解像度や音声形式等の信号フォーマットの前記の認証を行なう。
【００４６】
ＨＤＭＩ制御部７は本発明の初期設定手段を形成し、認証手段の前記認証に基づき、信号出力側の機器１ｂが信号入力側の機器２ｂに出力する映像・音声のデジタル信号の出力フォーマットを信号入力側の機器２ｂが対応可能な所定の（予め設定された）信号フォーマットに初期設定し、その設定内容をメモリ８に書き換え自在に保持する。又、後述の設定変更案内の報知に基づくユーザの設定変更操作を受け付け、新たなコンテンツの映像や音声の出力フォーマットを、設定中の出力フォーマットから設定変更操作で指定されてた信号フォーマットに変更し、変更した信号フォーマットをメモリ８に書き換え自在に記憶する。
【００４７】
設定判別部９は本発明の設定判定手段を形成し、初期設定後、放送受信やディスク再生に基づく新たなコンテンツの映像・音声のデジタル信号の出力毎に、設定中の映像や音声の出力フォーマットが新たなコンテンツの映像・音声のデジタル信号の本来の解像度や音声形式等の信号フォーマットに最適か否かを判断する。
【００４８】
具体的には、アンテナ１０の受信又はケーブル入力に基づく受信処理部１１のテレビ放送番組のコンテンツ出力や、ＤＶＤやＣＤ等のディスク１２を再生する再生処理部１３のコンテンツ出力の解像度の場合、新たなコンテンツの本来の解像度が、（縦×横＝）３５２×２４０画素〜７２０×４８０画素の低い解像度であれば、どのような出力フォーマットの解像度であっても問題がないので、信号入力側の機器２ｂの対応可能な範囲の解像度である限り、現在の設定中の映像や音声の出力フォーマットを最適と判断する。一方、新たなコンテンツの本来の解像度が、（縦×横＝）１２８０×７８０画素の高解像度であれば、設定中の解像度が７２０ｐより小さく不十分なときに、現在の設定が最適でないと判断する。又、新たなコンテンツの本来の解像度が、（縦×横＝）９８０×７８０画素、１４４０×１０８０画素、１９２０×１０８０画素の超高解像度であれば、設定中の解像度が１０８０ｉより小さく不十分なときに、現在の設定が最適でないと判断する。
【００４９】
メイン制御部５は各部の動作を制御し、本発明の検索手段、報知制御手段、設定変更手段を形成する。
【００５０】
そして、検索手段は、前記設定判定手段により設定中の映像・音声の出力フォーマットが新たなコンテンツの映像・音声のデジタル信号の本来の信号フォーマットに最適でないと判断されたときに、前記認証の結果に基づき、信号入力側の機器２ｂが対応可能であって新たなコンテンツの映像・音声の本来の信号フォーマットにより適合した最適な信号フォーマットを検索する。
【００５１】
具体的には、新たなコンテンツの本来の解像度が、（縦×横＝）１２８０×７８０画素の高解像度で、設定中の解像度が７２０ｐより小さく最適でないと判断されたときに、信号入力側の機器２ｂの対応可能な範囲の７２０ｐ以上の解像度を検索する。又、新たなコンテンツの本来の解像度が、（縦×横＝）９８０×７８０画素、１４４０×１０８０画素、１９２０×１０８０画素の超高解像度で、設定中の解像度が１０８０ｉより小さく適当でないと判断されたときに、信号入力側の機器２ｂの対応可能な範囲の１０８０ｉ以上の解像度を検索する。
【００５２】
又、報知制御手段は、新たなコンテンツの映像・音声の出力フォーマットを、前記検索手段が検索した信号フォーマットに変更することを促す設定変更案内を機器１ｂ、２ｂの少なくともいずれか一方から報知出力（通知出力）させる手段であり、具体的には、次の表１に示すように、新たなコンテンツの本来の解像度が（縦×横＝）３５２×２４０画素〜７２０×４８０画素の低い解像度であれば、信号入力側の機器２ｂの対応可能な範囲の解像度である限り設定変更案内の報知出力（通知出力）を行なわないが、新たなコンテンツの本来の解像度が（縦×横＝）１２８０×７８０画素の高解像度で、設定中の解像度が７２０ｐより小さければ、検索された７２０ｐ以上の設定解像度への設定変更案内を報知出力し、又、新たなコンテンツの本来の解像度が（縦×横＝）９８０×７８０画素、１４４０×１０８０画素、１９２０×１０８０画素の超高解像度であれば、検索された解像度が１０８０ｉ以上の設定解像度への設定変更案内を報知出力する。
【００５３】
【表１】
2008054172.tif 000003
【００５４】
尚、前記設定変更案内は例えばオンスクリーンディスプレイ（ＯＳＤ）出力で形成され、信号入力側の機器２ｂの映像表示用の大画面ディスプレイ２ｂ＊又は機器１ｂ、２ｂのＯＳＤ表示用の小画面ディスプレイ（図示せず）に、図２に示す画面Ｐのように表示される。そして、ユーザはリモコンのキー操作等で画面Ｐの「はい」、「いいえ」を選択することにより、設定変更の肯定、否定の操作をメイン制御部５の設定変更手段に通知する。
【００５５】
そして、設定変更手段は、前記設定変更案内の報知に基づくユーザの設定変更操作を受け付け、ＨＤＭＩ制御部７を介して信号変換部６に、新たなコンテンツの出力フォーマットとして前記設定変更操作で指定された検索結果の信号フォーマットを変更設定する。
【００５６】
尚、図１の１４は映像・音声のアナログ出力用のＤＡＣ（Ｄ／Ａ変換）部であり、１５は映像・音声のアナログ出力端子である。
【００５７】
以上の構成に基づき、信号出力側の機器１ｂである映像音声出力装置４は図３、図４のステップＳ１〜Ｓ２１に示すように動作する。
【００５８】
すなわち、図３に示すように破線のユーザ処理Ｓ０により機器１ｂ、２ｂがＨＤＭＩケーブル３ｂで接続され電源が投入されると、メイン制御部５等が設定されたプログラムを実行し、まず、ステップＳ１により信号変換部６の認証手段がＨＤＭＩケーブル３ｂを介した信号入力側の機器２ｂの前記ＥＤＩＤの内容から、信号入力側の機器２ｂが対応可能な解像度や音声形式等の信号フォーマットの前記の認証を行なう。
【００５９】
次に、ステップＳ２によりＨＤＭＩ制御部７の初期設定手段が、前記認証手段の認証に基づき、映像・音声のデジタル信号の出力フォーマットを信号入力側の機器２ｂが対応可能な所定の（予め設定された）信号フォーマットに初期設定し、その設定内容をメモリ８に書き換え自在に保持する。
【００６０】
次に、テレビ放送受信又はディスク再生により最初のコンテンツ出力になると、ステップＳ２からステップＳ３を介してステップＳ４に移行し、設定判別部９の設定判定手段により、そのコンテンツの映像・音声の本来の信号フォーマット等の情報を取得し、ステップＳ５により、例えばメモリ８に書き換え自在に保持した前記表１のような対応表を参照して、設定中の出力フォーマットがそのコンテンツの本来の信号フォーマットに最適か否かを判断する。
【００６１】
そして、設定中の出力フォーマットが最適であれば、ステップＳ５からステップＳ６に移行し、設定された出力フォーマットでコンテンツの映像・音声のデジタル信号をＨＤＭＩケーブル３ｂを介して信号入力側の機器２ｂに出力する。
【００６２】
一方、設定中の出力フォーマットが最適でなければ、ステップＳ５からステップＳ７に移行し、メイン制御部５の検索手段により、信号入力側の機器２ｂが対応可能であってそのコンテンツの映像・音声の本来の信号フォーマットにより適合した最適な信号フォーマットを検索する。
【００６３】
そして、より適合した最適な信号フォーマットが検出されると、ステップＳ７からステップＳ８を介してステップＳ９に移行し、前記報知制御手段により、例えば検索した信号フォーマットに変更することを促す前記設定変更案内のＯＳＤの信号をＨＤＭＩケーブル３ｂを介して信号入力側の機器２ｂに供給し、信号入力側の機器２ｂに画面表示して前記設定変更案内を報知出力（通知出力）する。
【００６４】
このとき、「はい」が選択されてユーザが設定変更操作を行なうと、ステップＳ１０を介してステップＳ１１に移行し、前記設定変更手段がユーザの設定変更操作を受け付け、ＨＤＭＩ制御部７を介して信号変換部６に、コンテンツの出力フォーマットを検索結果の信号フォーマットを変更設定した後、ステップＳ１１からステップＳ６に移行し、そのフォーマットの解像度や音声形式でテレビ放送受信又はディスク再生のコンテンツを信号入力側の機器２ｂに出力する。
【００６５】
又、「いいえ」が選択されてユーザが設定変更をしない旨を意思表示すると、ステップＳ１０を否定（ＮＯ）で通過してステップＳ６に移行し、信号変換部６が初期設定の出力フォーマットを維持し、初期設定の出力フォーマットの解像度や音声形式でテレビ放送受信又はディスク再生のコンテンツを信号入力側の機器２ｂに出力する。
【００６６】
そして、図３のステップＳ６から図４のステップＳ１２に移行し、メイン制御部５が取得した現在の出力フォーマットをメモリ８に書き換え自在に保持する。
【００６７】
その後、ユーザのリモコン操作或いはコンテンツのシーン切り替わり等による自動の出力変化（切り替え）が発生して新たなコンテンツの出力になる毎に、ステップＳ１２からステップＳ１３を介してステップＳ１４に移行し、図３のステップＳ５と同様、設定中の出力フォーマットがそのコンテンツの本来の信号フォーマットに最適か否かを判断する。
【００６８】
そして、最適であれば、ステップＳ１４からステップＳ１５に移行し、その設定の出力フォーマットの解像度や音声形式でテレビ放送受信又はディスク再生の前記新たなコンテンツを信号入力側の機器２ｂに出力する。
【００６９】
又、最適でなければ、ステップＳ１４からステップＳ１６に移行し、図３のステップＳ７〜Ｓ１１と同様のステップＳ１６〜Ｓ２０により、設定変更案内を報知出力（通知出力）してユーザの設定変更操作を条件にコンテンツの出力フォーマットを検索結果の最適な信号フォーマットに変更設定する。
【００７０】
更に、ステップＳ２０からステップＳ１５に移行し、その信号フォーマットの解像度や音声形式でテレビ放送受信又はディスク再生の前記新たなコンテンツを信号入力側の機器２ｂに出力する。
【００７１】
そして、電源がオフするまでステップＳ１５からステップＳ２１を介してステップＳ１３に移行し、このステップＳ１３からの処理をくり返し、新たなコンテンツの出力になる毎に、そのコンテンツの映像・音声の本来の信号フォーマットが検索され、ユーザの選択を条件に検索された出力フォーマットでそのコンテンツを信号入力側の機器２ｂに出力する。
【００７２】
したがって、上記第１の実施形態の場合、ＨＤＭＩケーブル３ｂを接続したときには、自動的に信号出力側の機器１ｂの映像・音声の出力フォーマットを信号入力側の機器２ｂが対応可能な所定の信号フォーマットに初期設定することができ、その後は、画面表示された「はい」、「いいえ」を選択する簡単な操作により、信号出力側の機器１ｂの映像・音声の出力フォーマットをユーザの選択にしたがって出力するコンテンツに最適な信号フォーマットに自動的に変更することができ、専門的な知識のない一般のユーザでも容易に、信号出力側の機器（映像音声出力装置４）１ｂが出力するコンテンツの映像・音声の出力フォーマットを信号入力側の機器２ｂが対応可能な範囲で最良に設定することができる。その際、前記出力フォーマットを変更するか否かをユーザが選択できるため、再生出力等するコンテンツの画質や音質をユーザが積極的に選定できる利点もある。
【００７３】
（第２の実施形態）
次に、請求項２、５及び３、６に対応する第２の実施形態について、図１及び図５、図６を参照して説明する。図５、図６は信号出力側の機器１ｂの本実施形態の動作説明用の第１、第２のフローチャートであり、図３、図４に相当する。
【００７４】
そして、本実施形態の信号出力側の機器も図１の信号出力側の機器１ｂと同様に構成される。そこで、以下の説明においては、本実施形態の信号出力側の機器を信号出力側の機器１ｂとして説明する。
【００７５】
本実施形態の信号出力側の機器１ｂが前記第１の実施形態と異なる点は、信号出力側の機器１ｂを形成する映像音声出力装置４が、第１の実施形態の報知制御手段、前記設定変更手段に代えて設定自動変更手段を備え、該設定自動変更手段により、新たなコンテンツの映像・音声の出力フォーマットを検索手段が検索した信号フォーマットに自動的に変更するようにした点である。尚設定自動変更手段はメイン制御部５が形成する。
【００７６】
そして、前記設定自動変更手段を備えたことにより、映像音声出力装置４は図５、図６のステップＱ１〜Ｑ１７に示すように動作する。
【００７７】
尚、図５の破線の処理Ｑ０は図３の処理Ｓ０と同じＨＤＭＩケーブル３ｂで接続するユーザ処理である。
【００７８】
又、図５のステップＱ１〜Ｑ８は図３のステップＳ１〜Ｓ８と同じ処理であり、ステップＱ７により、信号入力側の機器２ｂが対応可能であってそのコンテンツの映像・音声の本来の信号フォーマットにより適合した最適な信号フォーマットを検索すると、ステップＱ８からステップＱ９に移行し、第１の実施形態のように設定変更案内を画面表示することなく、前記設定自動変更手段により、ＨＤＭＩ制御部７を介して信号変換部６に、コンテンツの出力フォーマットを検索結果の信号フォーマットに変更設定する。
【００７９】
そして、ステップＱ９からステップＱ６に移行し、その出力フォーマットの解像度や音声形式でテレビ放送受信又はディスク再生のコンテンツを信号入力側の機器２ｂに出力する。
【００８０】
尚、ステップＱ７において、信号入力側の機器２ｂが対応可能な最適な信号フォーマットを検索できなければ、ステップＱ８を否定（ＮＯ）で通過してステップＱ６に移行し、初期設定の出力フォーマットの解像度や音声形式でテレビ放送受信又はディスク再生のコンテンツを信号入力側の機器２ｂに出力する。
【００８１】
そして、図５のステップＱ６から図６のステップＱ１０に移行し、メイン制御部５が取得した現在の出力フォーマットをメモリ８に書き換え自在に保持する。
【００８２】
その後、図４のステップＳ１３〜Ｓ１７、Ｓ２１に対応するステップＱ１１〜Ｑ１５、Ｑ１７及び図５のステップＱ９に対応するステップＱ１６により、ユーザのリモコン操作或いはコンテンツのシーン切り替わり等による自動の出力変化（切り替え）が発生して新たなコンテンツの出力になる毎に、設定中の出力フォーマットがそのコンテンツの本来の信号フォーマットに最適か否かを判断する。
【００８３】
そして、最適であれば、ステップＱ１２からステップＱ１３に移行し、その設定の出力フォーマットの解像度や音声形式でテレビ放送受信又はディスク再生の前記新たなコンテンツを信号入力側の機器２ｂに出力する。
【００８４】
又、最適でなければ、ステップＱ１２からステップＱ１４に移行し、自動的にコンテンツの出力フォーマットを検索結果の最適な信号フォーマットに変更設定し、その信号フォーマットの解像度や音声形式でテレビ放送受信又はディスク再生の前記新たなコンテンツを信号入力側の機器２ｂに出力する。
【００８５】
したがって、上記第２の実施形態の場合、ＨＤＭＩケーブル３ｂを接続したときには、自動的に信号出力側の機器１ｂの映像・音声の出力フォーマットを信号入力側の機器２ｂが対応可能な所定の信号フォーマットに初期設定することができ、その後は、ユーザが何もすることなく、信号出力側の機器１ｂの映像・音声の出力フォーマットを、信号入力側の機器２ｂに出力するコンテンツに最適な信号フォーマットに自動的に変更し、各コンテンツの映像・音声を信号入力側の機器２ｂが対応可能なれぞれの最適な出力フォーマットで信号入力側の機器２ｂに出力することができ、誰でもが極めて容易に、信号出力側の機器（映像音声出力装置４）１ｂが出力するコンテンツの映像・音声の出力フォーマットを信号入力側の機器２ｂが対応可能な範囲で最良に設定することができる。
【００８６】
そして、本発明は上記した両実施形態に限定されるものではなく、その趣旨を逸脱しない範囲において上述したもの以外に種々の変形実施を行なうことが可能であり、例えば、機器１ｂ、２ｂ間のデジタルインターフェースのケーブルは、ＨＤＭＩケーブル３ｂに限るものではない。
【００８７】
又、信号出力側の機器１ｂはＤＶＤプレーヤ、ＤＶＤレコーダ、ＣＤプレーヤ、ＣＤレコーダ、デジタルビデオカメラ等の映像・音声の各種のソース機器や、アンプのようなリピータ機器からなる種々の映像音声出力装置であってよく、信号入力側の機器２ｂはモニタディスプレイを含む種々のテレビ受信機であってよいのは勿論である。その際、機器１ｂ、２ｂの構成や機器１ｂ、２ｂが対応可能な映像、音声の信号フォーマットの種類、個数、設定変更案内の報知の方法等はどのようであってもよい。
【００８８】
そして、本発明は、信号出力側の機器と信号入力側の機器とをデジタルインターフェースのケーブルで接続して構築される種々の映像音声システムの信号出力設定方法及び、その信号出力側の機器を形成する種々の映像音声出力装置に適用することができる。
【図面の簡単な説明】
【００８９】
【図１】本発明の第１の実施形態の映像音声システムのブロック図である。
【図２】同上、設定変更案内の画面表示例の説明図である。
【図３】同上、信号出力側の機器を形成する映像音声出力装置の動作説明用の第１のフローチャートである。
【図４】同上、信号出力側の機器を形成する映像音声出力装置の動作説明用の第２のフローチャートである。
【図５】本発明の第２の実施形態の信号出力側の機器を形成する映像音声出力装置の動作説明用の第１のフローチャートである。
【図６】同上、信号出力側の機器を形成する映像音声出力装置の動作説明用の第２のフローチャートである。
【図７】従来システムの解像度設定の一例の説明図である。
【図８】従来システムの解像度設定の他の例の説明図である。
【図９】従来システムの音声形式設定の一例の説明図である。
【図１０】従来システムの最適でない設定例の説明図である。
【符号の説明】
【００９０】
１ｂ    信号出力側の機器
２ｂ    信号入力側の機器
３ｂ    ＨＤＭＩケーブル
４    映像音声出力装置
５    メイン制御部
６    信号変換部
７    ＨＤＭＩ制御部
８    メモリ
９    設定判別部
【図１】
2008054172.tif 000004
【図２】
2008054172.tif 000005
【図３】
2008054172.tif 000006
【図４】
2008054172.tif 000007
【図５】
2008054172.tif 000008
【図６】
2008054172.tif 000009
【図７】
2008054172.tif 000010
【図８】
2008054172.tif 000011
【図９】
2008054172.tif 000012
【図１０】
2008054172.tif 000013